(57)【要約】【課題】瞼の適切な位置への調整が容易な二重瞼形成具を提供する。【解決手段】二重瞼形成具１０は、一対の瞼当て部１１と、鼻根当て部１２と、装着部１１３とを有している。瞼当て部１１は、エラストマーによって細長く形成され、装着時に、左右の瞼に沿って当てられる。鼻根当て部１２は、一対の瞼当て部１１の間に設けられるととともに上下寸法（幅）が瞼当て部１１よりも大きく形成され、装着時に、鼻根に当てられる。装着部１３は、瞼当て部１１における鼻根当て部１２とは反対側に設けられ、環状部として形成されてその長孔１３ａを用いて耳に掛けることで二重瞼形成具１０が装着される。【選択図】      図１
2019017533.tif 000002
【特許請求の範囲】
【請求項１】
二重瞼を形成するために人間に装着される二重瞼形成具であって、
エラストマーによって細長く形成され、左右の瞼に沿って当てられる一対の瞼当て部と、
一対の前記瞼当て部の間に設けられるととともに上下寸法が前記瞼当て部よりも大きく形成され、鼻根に当てられる鼻根当て部と、
一対の前記瞼当て部における前記鼻根当て部とは反対側に設けられ、人間に装着するための装着部と、
を備えていることを特徴とする二重瞼形成具。
【請求項２】
前記瞼当て部は円柱状に形成されている、請求項１に記載の二重瞼形成具。
【請求項３】
前記鼻根当て部は板状に形成されている、請求項１又は２に記載の二重瞼形成具。
【請求項４】
前記装着部は耳に掛ける環状部である、請求項１乃至３のいずれか１項に記載の二重瞼形成具。
【請求項５】
前記装着部と前記瞼当て部との間には、両者を連結する連結部が備えられ、前記連結部は、前記瞼当て部から前記装着部に向けて徐々に上下高さが広くなっている、請求項１乃至４のいずれか１項に記載の二重瞼形成具。
【請求項６】
全体がエラストマーの一体成形によって構成されている、請求項１乃至５のいずれか１項に記載の二重瞼形成具。
【発明の詳細な説明】
【技術分野】
【０００１】
本発明は、二重瞼を形成したり、二重瞼を強調したりすることができる二重瞼形成具に関する。
【背景技術】
【０００２】
二重瞼を形成する形成具として、瞼に貼り付ける細長いテープが提供されている（特許文献１参照）。このようなテープは目立たないことを主眼に置いていることから非常に小さい。そのため、剥がれ易い、位置決めが難しいばかりか貼り直しもできない等、使い勝手が悪い。
【０００３】
上記問題を解決しようとする二重瞼形成具として、眼鏡フレームのリムの上端部を線金によって円弧状に形成し、線金を瞼に押し当てるものが提案されている（特許文献２参照）。この形成具によれば、眼鏡フレームを装着すれば済み、テープとは異なり、剥がれたり位置決めが難しかったりする欠点がなくなるとされている。
【先行技術文献】
【特許文献】
【０００４】
【特許文献１】特開２０１６−０４３１４９号公報
【特許文献２】実用新案登録第３１３７５９５号公報
【発明の概要】
【発明が解決しようとする課題】
【０００５】
しかしながら、眼鏡フレームを装着するタイプでは、使用者にとって最適な位置に線金を配置する調整が困難であるし、線金を瞼に一定の圧力で押さえられるように調整することも容易ではない。
【０００６】
本発明は、上記課題を解決するためになされたものであり、その主たる目的は、瞼の適切な位置への調整が容易な二重瞼形成具を提供することにある。
【課題を解決するための手段】
【０００７】
本発明は、
二重瞼を形成するために人間に装着される二重瞼形成具であって、
エラストマーによって細長く形成され、左右の瞼に沿って当てられる一対の瞼当て部と、
一対の前記瞼当て部の間に設けられるととともに上下寸法が前記瞼当て部よりも大きく形成され、鼻根に当てられる鼻根当て部と、
一対の前記瞼当て部における前記鼻根当て部とは反対側に設けられ、人間に装着するための装着部と、
を備えていることを特徴とする。
【発明の効果】
【０００８】
本発明によれば、瞼当て部がエラストマーによって細長く形成されていることから、装着時に、装着部と鼻根当て部との間で、当該瞼当て部を伸縮させたり上下に位置を調整したりすることが極めて容易になる。また、瞼当て部は伸縮するものであるため、瞼当て部を伸張させてある程度の張力を付与した状態で装着すれば、その張力を利用し、瞼当て部で瞼を押さえることもできる。さらに、鼻根当て部を上下左右に移動させることで、瞼当て部で瞼を押さえる位置を調整することもできる。その結果、使用者ごとの顔の特徴に合わせて、瞼当て部を瞼の適切な位置へ調整することが容易になる。
【図面の簡単な説明】
【０００９】
【図１】二重瞼形成具を示し、（ａ）は正面図、（ｂ）は底面図、（ｃ）は右側面図である。
【図２】二重瞼形成具の装着状態を示す斜視図である。
【発明を実施するための形態】
【００１０】
以下、本実施形態に係る二重瞼形成具１０を図面に基づいて説明する。なお、二重瞼形成具１０は、背面図は正面図と、平面図は底面図と、左側面図は右側面図と、各々同一に表れるので、図示を省略している。なお、以下の説明における左右とは、正面図における左右をいい、底面図に示す側を下、その反対側（平面図の側）を上とする。
【００１１】
二重瞼形成具１０は、スチレン系熱可塑性エラストマーによって全体が一体形成されている。この素材は、高い柔軟性と高い伸縮性を有している。具体的には、「ＪＩＳＫ６２４９」規格のデュロメータタイプＥによる測定値でＥ１０の硬さを有し、同じく「ＪＩＳＫ６２４９」規格による測定値で、１３００％以上の伸びを有している。
【００１２】
図１に示すように、二重瞼形成具１０は、全体として平坦をなすように形成されている。左右方向の全長は２３６ｍｍであり、１．７５ｍｍの均一な厚みを有している。二重瞼形成具１０は、一対の瞼当て部１１と、鼻根当て部１２と、一対の装着部１３と、一対の連結部１４とを有している。
【００１３】
一対の瞼当て部１１は、それぞれが細長い線状をなし、かつ円柱状をなすように形成されている。二重瞼形成具１０が使用者の頭部に装着された場合には、各瞼当て部１１が伸張してより細くなる。そのように伸びて細くなった状態の各瞼当て部１１が、左右の瞼に沿うように当てられて左右の瞼に食い込む。これによって、二重となる一筋のラインが左右の瞼にそれぞれ形成される。
【００１４】
鼻根当て部１２は、一対の瞼当て部１１の間であって、二重瞼形成具１０全体の左右中央部に設けられている。鼻根当て部１２は、略六角形状の板状をなし、上下寸法（幅）が瞼当て部１１よりも大きく形成されている。略六角形状の角は丸められ、同形状が有する一対の直線状部分を左右方向に沿うようにして設けられている。二重瞼形成具１０を装着した状態では、鼻根当て部１２はその板面が鼻根に当てられる。略六角形状の左右の頂点部に、前記瞼当て部１１の一端部が接続されている。
【００１５】
一対の装着部１３は、それぞれ、一対の瞼当て部１１における各瞼当て部１１の鼻根当て部１２と反対側に設けられている。各装着部１３は、二重瞼形成具１０を使用者の頭部に装着する際に用いられる。各装着部１３は環状部として形成されており、上下に延びる長孔１３ａが形成されている。各装着部１３もエラストマーによって形成されて伸縮性を有するため、長孔１３ａの大きさを広げつつそこに耳を入れることで、各装着部１３が耳に掛けられる。各装着部１３の上下方向の長さは、５４ｍｍとされている。
【００１６】
一対の連結部１４は、それぞれ、瞼当て部１１と装着部１３との間に設けられ、瞼当て部１１と装着部１３とを連結している。各瞼当て部１１の鼻根当て部１２と反対側の端部には、各連結部１４の一端部が接続されている。各連結部１４の瞼当て部１１とは反対側の端部は、装着部１３が接続されている。各連結部１４は、瞼当て部１１の側から装着部１３の側に向けて、徐々に上下高さ（幅）が広くなるように形成されている。
【００１７】
以上の構成を有する二重瞼形成具１０を用い、次のようにして使用者が自らの頭部にこれを装着する。
【００１８】
図２に示すように、一対の装着部１３が有する長孔１３ａに左右の耳を入れて、各装着部１３を左右の耳に掛ける。各装着部１３を耳に掛けると、鼻根当て部１２や各連結部１４よりも細くて線状をなす一対の瞼当て部１１が主として左右方向へ伸張し、二重瞼形成具１０の全体が伸張した状態となる。二重瞼形成具１０の左右中央部に設けられた鼻根当て部１２を使用者が手で持ちながら調整することで、その板面を鼻根に当てた状態とする。また、伸張して細くなっている各瞼当て部１１を、左右の瞼のうちの二重にすることを所望する部分にそれぞれ食い込ませる。なお、鼻根当て部１２の位置を、図２に示すように上下左右へ移動させることにより、瞼当て部１１の食い込み位置や食い込み強さを調整することが可能である。
【００１９】
二重瞼形成具１０がこのよう状態で使用者の頭部に装着されることで、二重となる一筋のラインが左右の瞼にそれぞれ形成される。この状態を所定時間維持することにより、二重瞼を形成したり、二重瞼の強調を補助したりすることができる。
【００２０】
以上の構成を有する二重瞼形成具１０によれば、次のような作用効果が得られる。
【００２１】
（１）瞼当て部１１は、エラストマーによって細長く形成されている。そのため、二重瞼形成具１０を使用者の頭部に装着した時に、鼻根当て部１２と装着部１３との間で、伸縮させたり、上下左右に位置を調整したりすることが極めて容易になる。また、瞼当て部１１が伸縮するものであるため、瞼当て部１１を伸張させてある程度の張力が付与された状態で装着される。その張力を利用し、瞼当て部１１で瞼を押さえることもできる。これにより、瞼に瞼当て部１１を食い込ませやすくなるとともに、二重瞼の形成力を高めることができる。
【００２２】
（２）瞼当て部１１は、円柱状をなすように形成されている。そのため、角柱形状に形成した場合に比べて、瞼当て部１１を伸張させた状態で瞼に食い込ませた際のフィット感が向上する。その他、装着の際に装着部１３が半回転又は１回転くらいすることで瞼当て部１１が多少捩じれたとしても、瞼へのフィット感や瞼に加わる力にその捩じりが影響することはほとんどなく、使い勝手がよい。
【００２３】
（３）瞼当て部１１の間に、鼻根当て部１２が設けられている。鼻根当て部１２を上下左右に移動させることで、瞼当て部１１の食い込み位置や食い込み強さを調整することができる。その結果、使用者ごとの顔の特徴に合わせて、瞼の適切な位置へ調整することが容易になる。また、鼻根当て部１２は板状に形成されているため、鼻根当て部１２を手でもって上下左右の位置を調整しやすい。
【００２４】
（４）装着部１３は耳に掛ける環状部として形成されている。そのため、使用者の頭部を一周させて装着するタイプよりも装着しやすく、装着部１３が頭髪に干渉することもほとんどない。
【００２５】
（５）瞼当て部１１と装着部１３との間には、両者を連結する連結部１４が設けられている。連結部１４は、上下高さ（幅）を極端に変化させず、瞼当て部１１の側から装着部１３の側に向けて徐々に変化させて、上下高さを高くしている。そのため、装着時に瞼当て部１１を伸張させた場合でも、瞼当て部１１と装着部１３との境界部分が破断する可能性を低減させることができる。
【００２６】
（６）二重瞼形成具１０の全体が、エラストマーの一体成形によって平坦に構成されている。そのため、製造時の成形を容易に行える。また、装着部１３を耳に装着することも、エラストマーが有する伸縮性を利用して簡単に行うことができる。鼻根当て部１２は、板状に形成されているため、エラストマーによって形成されている場合でも、装着時に当該鼻根当て部１２が過度に伸縮しない。そのため、鼻根当て部１２を、瞼当て部１１の食い込み位置を調整するための位置決め要素として利用することができる。
【００２７】
なお、上記実施形態の二重瞼形成具１０は、例えば次のように構成してもよい。
【００２８】
（ａ）上記実施の形態では、二重瞼形成具１０の全体がエラストマーの一体成形によって形成されているが、少なくとも瞼当て部１１がエラストマーによって形成されていれば足りる。そのため、鼻根当て部１２、装着部１３及び連結部１４を、エラストマーではない非伸縮性の素材によって形成してもよい。
【００２９】
（ｂ）上記実施の形態では、二重瞼形成具１０を形成する素材として、スチレン系熱可塑性エラストマーが用いられている。用いられるエラストマーとしてはこの素材に限定されるものではなく、例えば、オレフィン系、ウレタン系、アミド系、エステル系、動的加硫系等の他の熱可塑性エラストマー、シリコーンゴム等の熱硬化性エラストマーといった、他の種類のエラストマーを用いてもよい。また、スチレン系熱可塑性エラストマーを用いる場合に、上記実施の形態の特性値は好ましい一例であって、これ以外の特性値を有していてもよい。
【００３０】
（ｃ）上記実施の形態では、瞼当て部１１を円柱状に形成したが、角柱状に形成してもよい。
【００３１】
（ｄ）上記実施の形態では、鼻根当て部１２を略六角形をなす形状としたが、円形状や四角形状等、他の形状に形成してもよい。また、鼻根の中心が使用者によって異なることに鑑み、鼻根当て部１２の形状を鼻根の形に沿って変形可能とし、かつその変形状態を維持できる撓み性をもったものとしてもよい。この構成によれば、瞼当て部１１を、その鼻根当て部１２との接続部分に近い側から瞼に当接させやすくなり、瞼との当接長さをより長くすることができる。
【００３２】
（ｅ）上記実施の形態では、装着部１３を環状部として形成して耳に掛けるタイプとしたが、使用者の頭部を一周させて頭部全体に引っ掛けて装着するタイプに形成してもよい。
【００３３】
（ｆ）上記実施の形態では、瞼当て部１１と装着部１３との間を連結する連結部１４が設けられているが、これを省略し、瞼当て部１１における鼻根当て部１２とは反対側の端部に装着部１３が連結された構成としてもよい。
【符号の説明】
【００３４】
１０…二重瞼形成具、１１…瞼当て部、１２…鼻根当て部、１３…装着部、１４…連結部。
【図１】
2019017533.tif 000003
【図２】
2019017533.tif 000004